(57)【要約】【課題】指の大きさに拘わらず、やすり部を指の腹部に広い面で接触させることができ、滑り止め機能を十分発揮させることのできる爪切り用操作てこを提供する。【解決手段】爪切り用操作てこ１４は、基端部において互いに連結され、かつ各先端に刃先１１Ａ，１２Ａを有する一対の刃部（上刃部１１、下刃部１２）を備える爪切りに用いられる。爪切り用操作てこ１４は、自身の一部に設けられた指当て部１４Ｅを通じた操作により、両刃部（上刃部１１、下刃部１２）をそれらの弾性力に抗して押圧して両刃先１１Ａ，１２Ａを互いに接近させて爪を切除する。さらに、上記指当て部１４Ｅには、その長さ方向に沿ってのみ凹状に湾曲する第２やすり部１８が設けられている。【選択図】図１
0003180923.tif 000002
【実用新案登録請求の範囲】
【請求項１】
基端部において互いに連結され、かつ各先端に刃先を有する一対の刃部を備える爪切りに用いられ、自身の一部に設けられた指当て部を通じた操作により、前記両刃部をそれらの弾性力に抗して押圧して前記両刃先を互いに接近させて爪を切除するようにした爪切り用操作てこであって、
前記指当て部には、同指当て部の長さ方向に沿ってのみ凹状に湾曲するやすり部が設けられていることを特徴とする爪切り用操作てこ。
【請求項２】
前記やすり部は前記指当て部とは別の部材により形成され、同指当て部に固定されている請求項１に記載の爪切り用操作てこ。
【請求項３】
前記指当て部には、同指当て部の長さ方向に沿ってのみ凹状に湾曲する凹状湾曲面が設けられており、
前記やすり部は、前記凹状湾曲面に沿って湾曲させられて接合された板状体により形成されている請求項２に記載の爪切り用操作てこ。
【考案の詳細な説明】
【技術分野】
【０００１】
本考案は、爪切りの構成部品の１つとして用いられ、爪切りにおける一対の刃部をそれらの弾性力に抗して押圧し、刃部毎の刃先を互いに接近させて爪を切除する爪切り用操作てこに関するものである。
【背景技術】
【０００２】
爪の余剰部分を切除し、爪の長さや形状を整える爪切りとして、例えば特許文献１及び特許文献２に記載されたものがある。これらの爪切りは、いずれも操作てこの操作により、一対の刃部をそれらの弾性力に抗して押圧して、刃部毎の刃先を互いに接近させて爪を切除するものである。
【０００３】
さらに、特許文献１に記載された爪切りでは、操作てこの端部に指当て部が設けられており、球面の一部をなすように凹状に湾曲するやすり部が指当て部に設けられている。このやすり部は、爪を研削して形状を整える機能と、操作てこを操作する際に指当て部に対し指が滑るのを抑制する滑り止め機能とを発揮する。
【０００４】
また、特許文献２に記載された爪切りでは、やすり部が平坦に形成されている。
【先行技術文献】
【特許文献】
【０００５】
【特許文献１】実公昭３３−１５４６３号公報
【特許文献２】実開昭４９−３２８８３号公報
【考案の概要】
【考案が解決しようとする課題】
【０００６】
ところが、上記特許文献１に記載された爪切りでは、その使用者が操作てこを操作して爪を切除する際、指の腹部をやすり部に押し当てることになるが、指の大きさによっては、腹部を球面状に凹むやすり部の底まで沈み込ませることができないおそれがある。この場合には、指の腹部のやすり部との接触面が十分広くなく、やすり部が滑り止め機能を十分発揮できない。
【０００７】
これに対し、上記特許文献２に記載された爪切りでは、やすり部が平坦状をなしているため、指の腹部をやすり部に接触させることができる反面、やすり部が腹部と接触する面が元々狭い。これは、指の腹部が、その長さ方向に沿っても幅方向に沿っても凸状に湾曲しているのに対し、やすり部が平坦状をなしているためである。そのため、この場合にも、上記特許文献１と同様、やすり部が滑り止め機能を十分発揮できない問題がある。
【０００８】
なお、指の腹部をやすり部に押し当てる態様としては、通常、指の腹部を、その長さ方向が指当て部の幅方向に合致するようにやすり部に押し当てる態様と、指の腹部を、その幅方向が指当て部の幅方向に合致するようにやすり部に押し当てる態様とがある。やすり部が球面状に凹む場合であれ、平坦状をなす場合であれ、上述したいずれの態様で指の腹部がやすり部に押し当てられた場合にも、上述した問題が起こり得る。
【０００９】
本考案は、このような実情に鑑みてなされたものであって、その目的は、指の大きさに拘わらず、やすり部を指の腹部に広い面で接触させることができ、滑り止め機能を十分発揮させることのできる爪切り用操作てこを提供することにある。
【課題を解決するための手段】
【００１０】
上記課題を解決する爪切り用操作てこは、基端部において互いに連結され、かつ各先端に刃先を有する一対の刃部を備える爪切りに用いられ、自身の一部に設けられた指当て部を通じた操作により、前記両刃部をそれらの弾性力に抗して押圧して前記両刃先を互いに接近させて爪を切除するようにした爪切り用操作てこであって、前記指当て部には、同指当て部の長さ方向に沿ってのみ凹状に湾曲するやすり部が設けられている。
【００１１】
上記の構成によれば、爪切り用操作てこでは、やすり部が、爪を研削して形状を整える機能と、操作てこを操作して爪の余剰部分を切除する際に指当て部に対し指が滑るのを抑制する機能（滑り止め機能）とを発揮する。
【００１２】
やすり部に上記滑り止め機能を発揮させる際には、指の腹部がやすり部に押し当てられる。やすり部の表面の微細な凹凸が指の腹部に接触し、その腹部が滑るのを抑制する。
ここで、指の腹部は、その長さ方向に沿っても幅方向に沿っても凸状に湾曲している。これに対し、やすり部は指当て部の長さ方向に沿っては湾曲しているが、幅方向に沿っては湾曲していない。やすり部は、指当て部の幅方向についての両側部で開放されている。やすり部の上記両側部には、腹部との接触を妨げるものが特段ない。そのため、やすり部は、球面状に凹む場合とは異なり、指の大きさに拘わらず、同やすり部の底を含む広い箇所において指の腹部に接触し、指を滑りにくくする。この効果は、指の腹部を、その長さ方向が指当て部の幅方向に合致するようにやすり部に接触させた場合にも、指の腹部を、その幅方向が指当て部の幅方向に合致するようにやすり部に接触させた場合にも得られる。
【００１３】
また、やすり部は指当て部の長さ方向に沿ってのみ湾曲していることから、指の腹部の凸状湾曲部分に接触する。例えば、指の腹部を、その長さ方向が指当て部の幅方向に合致する態様でやすり部に押し当てた場合には、同やすり部の上記長さ方向に沿う湾曲部分が指の腹部について幅方向に沿って湾曲した部分に接触する。また、指の腹部を、その幅方向が指当て部の幅方向に合致する態様でやすり部に接触させた場合には、同やすり部の上記長さ方向に沿う湾曲部分が指の腹部について長さ方向に沿って湾曲した部分に接触する。従って、上記いずれであっても、やすり部は平坦状に形成された場合よりも広い面において指の腹部に接触することとなり、指を滑りにくくする。
【００１４】
上記爪切り用操作てこにおいて、前記やすり部は前記指当て部とは別の部材により形成され、同指当て部に固定されていることが好ましい。
上記の構成によれば、やすり部は指当て部とは別の部材からなる。このことから、指当て部に対し直接加工を施すことによってやすり部を形成する場合に比べ、やすり部の材料の選択肢が増え、これらの選択肢から、やすり部としてより適した材料を選択することが可能となる。また、やすりの種類や、加工方法の選択肢も増える。
【００１５】
同様に、指当て部（爪切り用操作てこ）の材料の選択肢が増え、これらの選択肢から、指当て部（爪切り用操作てこ）としてより適した材料や、加工方法を選択することが可能となり、デザインや設計の自由度が増す。
【００１６】
上記爪切り用操作てこにおいて、前記指当て部には、同指当て部の長さ方向に沿ってのみ凹状に湾曲する凹状湾曲面が設けられており、前記やすり部は、前記凹状湾曲面に沿って湾曲させられて接合された板状体により形成されていることが好ましい。
【００１７】
上記の構成によれば、やすり部として、指当て部とは別の部材である板状体によって形成されたものが用いられる。この板状体は、指当て部に設けられた凹状湾曲面に沿って湾曲させられて同凹状湾曲面に接合される。この際、凹状湾曲面が一方向（指当て部の長さ方向）についてのみ湾曲していることから、凹状湾曲面では、指当て部の長さ方向については深さが変化するが、幅方向については深さが変化しない。そのため、指当て部が球面状に凹んでいる場合とは異なり、指当て部とは別体の板状体を、一方向（指当て部の長さ方向）についてのみ湾曲させるだけで、凹状湾曲面に沿わせることが可能である。
【考案の効果】
【００１８】
上記爪切り用操作てこによれば、指の大きさに拘わらず、やすり部を指の腹部に広い面で接触させることができ、滑り止め機能を十分発揮させることができる。
【図面の簡単な説明】
【００１９】
【図１】爪切り用操作てこの一実施形態を示す図であり、同操作てこが用いられた爪切りの使用可能状態を示す斜視図。
【図２】一実施形態において、爪切り用操作てこが用いられた爪切りの不使用状態を示す正面図。
【図３】図１の爪切りを親指とともに示す正面図。
【図４】図１の爪切りを親指とともに示す平面図。
【図５】一実施形態において、図３とは異なる態様（態様２）で親指を第２やすり部に押し当てる状態を示す部分正面図。
【図６】一実施形態において、図４とは異なる態様（態様２）で親指を第２やすり部に押し当てる状態を示す平面図。
【図７】上記実施形態とは異なる形態の操作てこが用いられた爪切りを親指とともに示す平面図。
【図８】上記実施形態とは異なる形態の爪切り用操作てこが用いられた爪切りを示す斜視図。
【考案を実施するための形態】
【００２０】
以下、爪切り用操作てこの一実施形態について、図１〜図６を参照して説明する。
図１及び図２に示すように、本実施形態の爪切りの主要部は爪切り本体１０によって構成されている。爪切り本体１０は、一般的な爪切りと同様に、一対の刃部と爪切り用操作てこ（以下、単に「操作てこ」という）１４とを備えている。次に、爪切り本体１０を構成する各部について説明する。
【００２１】
＜一対の刃部＞
ここでは、一対の刃部を区別するために、図１及び図２の各上側に位置するものを上刃部１１といい、各下側に位置するものを下刃部１２というものとする。
【００２２】
上刃部１１及び下刃部１２は、それぞれ金属により長尺状に成形された一対の板材によって構成されている。上刃部１１及び下刃部１２は、それらの基端部（図２の右端部）において互いに固着されることで、相互に連結されている。上刃部１１及び下刃部１２の各先端（図２の左端）には、互いに対向した状態で刃先１１Ａ，１２Ａが形成されている。上刃部１１及び下刃部１２において、それらの刃先１１Ａ，１２Ａの付近には、一端（図２の下端）に頭部１３Ａを有する支軸１３が下刃部１２から上刃部１１に向けて挿通されている。支軸１３の頭部１３Ａは下刃部１２に対し下側から係止され、同支軸１３の上端部は上刃部１１よりも上側へ突出している。支軸１３の上部には切欠き部１３Ｂが形成されている。上記支軸１３は、その軸線（図示略）を中心として回動可能である。
【００２３】
＜操作てこ１４＞
図１及び図４に示すように、操作てこ１４は、上記上刃部１１及び下刃部１２と同様、長尺状をなしており、上刃部１１の上側に配置されている。この操作てこ１４では、上記上刃部１１及び下刃部１２とは異なり、一端部（図４の左端部）が基端部とされ、他端部（図４の右端部）が先端部とされている。操作てこ１４の基端部には、同操作てこ１４の幅方向（図４の上下方向）に互いに離間する一対の腕部１４Ａが形成されている。両腕部１４Ａ間には、上述した支軸１３の上部が挿入配置されている。また、両腕部１４Ａにはピン１５が操作てこ１４の幅方向に挿通されており、このピン１５が上記支軸１３の切欠き部１３Ｂ（図２、図３参照）に係止されている。
【００２４】
なお、切欠き部１３Ｂに代えて、支軸１３に対し、その径方向に支持孔があけられ、上記ピン１５が上記両腕部１４Ａ及び支持孔に挿通されてもよい。
上記長尺状をなす操作てこ１４の厚み方向（図２の上下方向）についての一方（図２の上方）の面は表面１４Ｂとされ、他方（図２の下方）の面は裏面１４Ｃとされている。図２に示すように、操作てこ１４は、爪切りの不使用時には、上記上刃部１１の上側に重ねられ、上記裏面１４Ｃが同上刃部１１に面して隠された状態（以下、不使用状態という）にされる。また、図１及び図３に示すように、操作てこ１４は、爪切りの使用時には、裏面１４Ｃが上側となり、かつ表面１４Ｂが下側となる姿勢を採りながら、基端部から離れるに従い上刃部１１から上方へ遠ざかるように傾斜した状態（以下、使用可能状態という）にされる。なお、不使用状態と使用可能状態との切替えは、操作てこ１４が支軸１３及びピン１５をそれぞれ中心として回動されて反転されることにより行なわれる。
【００２５】
操作てこ１４の裏面１４Ｃにおいて、上記腕部１４Ａの付近から、同操作てこ１４の長さ方向についての中央部付近までの領域には、裏面１４Ｃからの深さが一定の段差面１４Ｄが形成されており、ここに第１やすり部１６が設けられている。第１やすり部１６は、操作てこ１４とは別の部材によって形成されている。ここでは、第１やすり部１６は厚みが均一な金属の板状体１７を用いて形成されている。上記板状体１７の一方の面（図２の下面）には、微細な多数の凹部を規則的に配列してなるやすり目が、機械加工により刻設されている。そして、上記板状体１７は、やすり目とは反対側の面（図２の上面）において、接着剤によって上記段差面１４Ｄに貼付けられている。
【００２６】
操作てこ１４において、上記段差面１４Ｄよりも先端側へ僅かに離れた箇所から、同操作てこ１４の先端に至る領域には指当て部１４Ｅが一体に形成されている。指当て部１４Ｅは、操作てこ１４を操作する際に指（通常、親指Ｆ）が押し当てられる箇所である。指当て部１４Ｅには、その長さ方向に沿ってのみ凹状に湾曲する凹状湾曲面１４Ｆが形成されている。凹状湾曲面１４Ｆの上記裏面１４Ｃからの深さは、同指当て部１４Ｅの長さ方向については、中央部分において最も深く、同中央部分から離れるに従い徐々に浅くなる。凹状湾曲面１４Ｆの上記裏面１４Ｃからの深さは、指当て部１４Ｅの幅方向については、同一である（変化しない）。
【００２７】
上記凹状湾曲面１４Ｆには、その略全域にわたって第２やすり部１８が設けられている。第２やすり部１８は実用新案登録請求の範囲におけるやすり部に相当する部分であり、指当て部１４Ｅとは別の部材によって形成されている。ここでは、第２やすり部１８は板状体１９を用いて形成されている。板状体１９は、刃物用材料、いわゆる刃物鋼を平らで厚みが均一となるように形成したものである。上記板状体１９の一方の面（図２の下面）には、微細な多数の凹部を規則的に配列してなるやすり目が、機械加工により刻設されている（図４参照）。
【００２８】
上記板状体１９は、指当て部１４Ｅの上記凹状湾曲面１４Ｆに沿って湾曲させられている。すなわち、上記板状体１９は、指当て部１４Ｅの長さ方向に沿ってのみ凹状に湾曲させられている。そして、上記板状体１９は、やすり目とは反対側の面（図２の上面）において、接着剤によって上記凹状湾曲面１４Ｆに貼付けられている。このように、やすり目が形成され、かつ凹状湾曲面１４Ｆに沿って湾曲させられて指当て部１４Ｅに接合された板状体１９により、第２やすり部１８が構成されている。この第２やすり部１８は、指当て部１４Ｅの長さ方向については、中央部分において最も深く、同中央部分から離れるに従い徐々に浅くなり、かつ同指当て部１４Ｅの幅方向については、同一の深さとなるように凹状に湾曲している。板状体１９の一方の面に形成されたやすり目も同様の凹状に湾曲している。
【００２９】
本実施形態の爪切りは、上記爪切り本体１０に加え、爪飛散防止ケース２０を備えている。
＜爪飛散防止ケース２０＞
爪飛散防止ケース２０は、切除された余剰の爪片が飛散するのを防止するためのものであり、上記上刃部１１及び下刃部１２のうち、刃先１１Ａ，１２Ａを除く箇所を取り囲む側壁部２０Ａと、下刃部１２の下側に位置し、かつ上記側壁部２０Ａに接続された底壁部２０Ｂとを備えている。爪飛散防止ケース２０は、上刃部１１及び下刃部１２に対し、それらの長さ方向へのスライド可能に装着されている。このスライドにより、上刃部１１及び下刃部１２の先端部分において、それらの幅方向についての両側部を開放し、爪飛散防止ケース２０内の爪片を、これらの開放部分から排出することが可能である。
【００３０】
上記のようにして爪切りが構成されている。次に、この爪切りの作用について、操作てこ１４の作用を中心に説明する。
操作てこ１４では第１やすり部１６が、爪を研削して形状を整える機能を発揮する。また、第２やすり部１８が、第１やすり部１６と同様、爪を研削して形状を整える機能を発揮するほか、操作てこ１４を操作して爪の余剰部分を切除する際に指当て部１４Ｅに対し親指Ｆが滑るのを抑制する機能（滑り止め機能）を発揮する。
【００３１】
第１やすり部１６及び第２やすり部１８のいずれのやすり部を使用する場合にも、不使用状態の爪切りが使用可能状態に切替えられる。この切替えに際しては、図２に示す不使用状態の爪切りにおける操作てこ１４が支軸１３及びピン１５をそれぞれ中心として回動されて反転される。図１及び図３に示す使用可能状態では、操作てこ１４は、裏面１４Ｃが上側となり、かつ表面１４Ｂが下側となる姿勢を採りながら、基端部から離れるに従い上刃部１１から上方へ遠ざかるように傾斜した状態となる。
【００３２】
続いて、研削対象となる爪の外縁部にやすり部が当てられ、爪及びやすり部が相対移動される。この接触状態での相対移動により、爪の外縁部が研削される。
ここで、第１やすり部１６が湾曲せず平坦状をなしているのに対し、第２やすり部１８が凹状に湾曲している。このように第１やすり部１６と第２やすり部１８とでは形態が異なることから、使用者は、研削により適した方のやすり部を選択することが可能である。
【００３３】
第２やすり部１８の滑り止め機能が発揮されるのは、爪切りを使用して爪の余剰部分を切除するときである。
すなわち、爪の切除に際しては、爪切りが親指Ｆと人差し指（図示略）とによって把持される。この把持に際しては、親指Ｆが第２やすり部１８に接触され、人差し指が爪飛散防止ケース２０の基端部に接触される。
【００３４】
親指Ｆを第２やすり部１８に接触させる態様としては、次の２態様がある。
態様１：図３及び図４に示すように、親指Ｆの腹部Ｆ１を、その長さ方向が指当て部１４Ｅの幅方向に合致するように第２やすり部１８に接触させる態様。
【００３５】
態様２：図５及び図６に示すように、親指Ｆの腹部Ｆ１を、その幅方向が指当て部１４Ｅの幅方向に合致するように第２やすり部１８に接触させる態様。
ここで、親指Ｆの腹部Ｆ１は、その長さ方向に沿っても幅方向に沿っても凸状に湾曲している。これに対し、第２やすり部１８は指当て部１４Ｅの長さ方向に沿っては湾曲しているが、幅方向に沿っては湾曲していない。図４及び図６において太い一点鎖線の枠で示すように、第２やすり部１８は、指当て部１４Ｅの幅方向についての両方の側部１８Ｓで開放されている。第２やすり部１８の上記両方の側部１８Ｓには、腹部Ｆ１との接触を妨げるものが特段ない。そのため、第２やすり部１８は、やすり部が球面状に凹む特許文献１とは異なり、親指Ｆの大きさに拘わらず、同第２やすり部１８の底を含む広い箇所において親指Ｆの腹部Ｆ１に接触し、親指Ｆを滑りにくくする。この効果は、上記態様１及び態様２のいずれの態様で、親指Ｆの腹部Ｆ１が第２やすり部１８に接触された場合にも得られる。
【００３６】
また、第２やすり部１８は指当て部１４Ｅの長さ方向に沿ってのみ湾曲していることから、腹部Ｆ１の凸状湾曲部分に接触する。例えば、図３及び図４に示すように、親指Ｆの腹部Ｆ１が、上記第１の態様で指当て部１４Ｅに押し当てられた場合には、第２やすり部１８が親指Ｆの腹部Ｆ１について幅方向に沿って凸状に湾曲した部分に接触する。また、図５及び図６に示すように、親指Ｆの腹部Ｆ１が、上記第２の態様で指当て部１４Ｅに押し当てられた場合には、第２やすり部１８が親指Ｆの腹部Ｆ１について長さ方向に沿って凸状に湾曲した部分に接触する。従って、上記いずれの態様であっても、第２やすり部１８は平坦状に形成された特許文献２よりも広い面において親指Ｆの腹部Ｆ１に接触することとなり、親指Ｆを滑りにくくする。
【００３７】
そして、上記いずれの態様で親指Ｆの腹部Ｆ１が第２やすり部１８に接触された場合にも、爪の余剰部が両刃先１１Ａ，１２Ａ間に位置させられ、親指Ｆと人差し指との間隔が狭められる。第２やすり部１８を通じて指当て部１４Ｅに押下げ力が加えられ、操作てこ１４が両腕部１４Ａにおいて、ピン１５を支点として下側（下刃部１２側）へ傾動させられる。この傾動する操作てこ１４により、上刃部１１及び下刃部１２がそれらの弾性力に抗して押圧される。両刃先１１Ａ，１２Ａが互いに接近させられ、爪の余剰部分が切除される。切除された爪片は、爪飛散防止ケース２０内に収容される。
【００３８】
以上詳述した本実施形態によれば、次の効果が得られる。
（１）操作てこ１４の指当て部１４Ｅには、その長さ方向に沿ってのみ凹状に湾曲する第２やすり部１８を設けている（図１、図３）。
【００３９】
そのため、第２やすり部１８で爪を研削することができるだけでなく、操作てこ１４を操作して爪の余剰部分を切除する際に指当て部１４Ｅに対し親指Ｆが滑るのを抑制することができる。
【００４０】
また、球面状に凹むやすり部では得られない効果、すなわち、親指Ｆの大きさに拘わらず第２やすり部１８を、凸状に湾曲する親指Ｆの腹部Ｆ１に対し、広い面で接触させる（フィットさせる）ことができる。また、平坦状をなすやすり部よりも広い面で第２やすり部１８を親指Ｆの腹部Ｆ１に接触させることができる。その結果、球面状に凹むやすり部や平坦状をなすやすり部とは異なり、滑り止め機能を十分発揮させることができ、使い勝手の向上を図ることができる。
【００４１】
上記の効果は、爪切りの使用者が、親指Ｆの腹部Ｆ１を、その長さ方向が指当て部１４Ｅの幅方向に合致するように第２やすり部１８に接触させる態様１（図３、図４）でも、親指Ｆの腹部Ｆ１を、その幅方向が指当て部１４Ｅの幅方向に合致するように第２やすり部１８に接触させる態様２（図５、図６）でも得られる。
【００４２】
さらに、どちらの態様で指当て部１４Ｅに親指Ｆを接触させるかについては、爪切りの使用者が選択することができる。
（２）第２やすり部１８を指当て部１４Ｅとは別の部材により形成し、同指当て部１４Ｅに固定している（図１、図３）。
【００４３】
そのため、指当て部１４Ｅに対し直接加工を施すことによって第２やすり部１８を形成する場合に比べ、第２やすり部１８の材料の選択肢が増え、これらの選択肢から、第２やすり部１８としてより適した材料を選択することができる。また、やすりの種類や加工方法の選択肢も増える。
【００４４】
同様に、指当て部１４Ｅ（操作てこ１４）の材料の選択肢が増え、これらの選択肢から、指当て部１４Ｅ（操作てこ１４）としてより適した材料や、加工方法を選択することができるようになり、デザインや設計の自由度を増すことができる。
【００４５】
（３）指当て部１４Ｅに、その長さ方向に沿ってのみ凹状に湾曲する凹状湾曲面１４Ｆを設ける。第２やすり部１８を、凹状湾曲面１４Ｆに沿って湾曲させられて接合された板状体１９により形成するようにしている（図３）。
【００４６】
そのため、第２やすり部１８として、指当て部１４Ｅとは別の部材である板状体１９によって形成されたものが用いられるが、この板状体１９は、指当て部１４Ｅに設けられた凹状湾曲面１４Ｆに沿って湾曲させられて同凹状湾曲面１４Ｆに接合される。この際、凹状湾曲面１４Ｆが一方向（指当て部１４Ｅの長さ方向）についてのみ湾曲していることから、凹状湾曲面１４Ｆでは、指当て部１４Ｅの長さ方向については深さが変化するが、幅方向については深さが変化しない。そのため、指当て部１４Ｅが球面状に凹んでいる特許文献１とは異なり、指当て部１４Ｅとは別体の板状体１９を、一方向（指当て部１４Ｅの長さ方向）についてのみ湾曲させるだけで、同板状体１９を容易に凹状湾曲面１４Ｆに沿わせることができる。
【００４７】
（４）平面状をなす第１やすり部１６に加え、凹状に湾曲した第２やすり部１８を設けている（図１、図３）。
そのため、平らなやすり部で爪を研削したい場合には第１やすり部１６を使用し、凹状に湾曲したやすり部で爪を研削したい場合には第２やすり部１８を使用するというように、やすり部を使い分けすることができる。爪切りの使用者が、望む態様で爪を研削することができ、この点でも爪切りの使い勝手の向上を図ることができる。
【００４８】
（５）特許文献１において球面状に凹む湾曲面にやすり部を形成する場合、放電加工機やＮＣ加工機で湾曲面にやすり目を刻設することになるが、製造コストの上昇を招く。
この点、本実施形態では、平らな金属製の板状体１９に予めやすり目を加工し、これを指当て部１４Ｅの凹状湾曲面１４Ｆに沿って湾曲させた後、接着剤によって貼付けている。平面に対する加工は、湾曲面に対する加工よりも容易である。そのため、第２やすり部１８を容易に形成することができる。
【００４９】
また、本実施形態では、放電加工機やＮＣ加工機を用いなくてもやすり目を加工することができ、製造コストの上昇を抑えることができる。
なお、平らな板状体を、球面状に凹む湾曲面に沿わせて湾曲させることは難しく、従って、この構造を採用することは実現困難である。
【００５０】
（６）指当て部１４Ｅとは別の部材を指当て部１４Ｅに貼付けてやすり部を形成する場合、その部材としてサンドペーパ（紙やすり）を用いることも考えられる。しかし、サンドペーパでは、耐久性の点で問題があり、何度も貼り替える作業が必要になる。
【００５１】
この点、本実施形態では、金属の板状体１９を用い、これにやすり目を加工することで第２やすり部１８を形成している。
そのため、サンドペーパを用いて第２やすり部１８を形成する場合よりも耐久性を高めることができ、長期間にわたって貼り替えを行なわなくてもすむ。
【００５２】
なお、上記実施形態は、これを以下のように変更した変形例として実施することもできる。
＜一対の刃部について＞
・一対の刃部（上刃部１１、下刃部１２）は長尺状をなす単一の板材によって構成されてもよい。この場合、単一の板材が中央部分で折り返されることで、両刃部（上刃部１１、下刃部１２）が形成される。
【００５３】
＜指当て部１４Ｅについて＞
・指当て部１４Ｅは、操作てこ１４の長さ方向に沿って延びるものにとどまらず、図７に示すように、操作てこ１４の長さ方向に対し傾斜するものであってもよい。この場合にも、指当て部１４Ｅに、その長さ方向に沿ってのみ凹状に湾曲する第２やすり部１８が設けられる。
【００５４】
なお、図７では、上記実施形態で説明したものと同様の要素については同一の符号が付されている。
・操作てこ１４における指当て部１４Ｅが上記実施形態とは異なる長さに形成されてもよい。その一例を図８に示す。この図８では、操作てこ１４の裏面１４Ｃにおいて、同操作てこ１４の長さ方向についての先端部から中央部付近にかけての広い領域に指当て部１４Ｅが設けられている。この場合にも、指当て部１４Ｅに、その長さ方向に沿ってのみ凹状に湾曲する第２やすり部１８が設けられる。
【００５５】
なお、図８では、上記実施形態で説明したものと同様の要素については同一の符号が付されている。
・指当て部１４Ｅは、操作てこ１４の一部であることを条件に、同操作てこ１４の先端部よりも基端部側の箇所に設けられてもよい。
【００５６】
・図示しないが、操作てこ１４が本体部と指当て部１４Ｅとに分割されてもよい。そして、指当て部１４Ｅが本体部に固定されることで操作てこ１４が構成されてもよい。また、指当て部１４Ｅが本体部に対し、同指当て部１４Ｅの幅方向への屈曲可能に連結されることで操作てこ１４が構成されてもよい。この場合、指当て部１４Ｅは、本体部に対する屈曲角度を調節できるように、同本体部に連結されることが好ましい。そして、指当て部１４Ｅには、同指当て部１４Ｅの長さ方向に沿ってのみ凹状に湾曲するやすり部が設けられる。
【００５７】
・操作てこ１４の操作に際し、親指Ｆとは異なる指が指当て部１４Ｅに押し当てられてもよい。
＜第１やすり部１６、第２やすり部１８について＞
・図８に示すように、第１やすり部１６については割愛されてもよい。
【００５８】
・第１やすり部１６及び第２やすり部１８の少なくとも一方は、接着剤による接着とは異なる手段によって操作てこ１４に固定されてもよい。
・第２やすり部１８が指当て部１４Ｅとは別の部材によって形成される場合、その部材として非板状をなすものが用いられてもよい。
【００５９】
・第２やすり部１８は、指当て部１４Ｅとは別の部材を用いることなく、同指当て部１４Ｅに一体に形成されてもよい。
＜爪飛散防止ケース２０について＞
・爪切り用操作てこ１４は、爪飛散防止ケース２０を備えない爪切りに用いられてもよい。
【符号の説明】
【００６０】
１１…上刃部（刃部）、１１Ａ，１２Ａ…刃先、１２…下刃部（刃部）、１４…操作てこ、１４Ｅ…指当て部、１４Ｆ…凹状湾曲面、１８…第２やすり部（やすり部）、１９…板状体。
【図１】
0003180923.tif 000003
【図２】
0003180923.tif 000004
【図３】
0003180923.tif 000005
【図４】
0003180923.tif 000006
【図５】
0003180923.tif 000007
【図６】
0003180923.tif 000008
【図７】
0003180923.tif 000009
【図８】
0003180923.tif 000010